(57)【要約】【課題】着脱自在のカッターホルダにより、切削台とカッターホルダとを分離して洗浄することができるかき氷製造用氷削機を提供する。【解決手段】  氷削機２は、本体２１と、本体２１にそれぞれ設けた基台２２及び切削台２３とを備える。カッターホルダ上に切削刃２５が螺着される。モータにより回転台２４を回転させて切削刃２５により氷を切削する。カッターホルダの軸孔と、切削台２３の底端に設けた受け座とには心軸が挿設される。カッターホルダは、弾性部材が端部の底縁に当接され、弾性部材の位置に対応した箇所に設けられた貫通孔を有し、貫通孔には、調整ねじ軸が挿設される。調整ねじ軸は、切削台２３の底端に設けられた位置規制座のねじ孔に螺着されるねじ軸を有する。心軸には、ハンドルが設けられる。調整ねじ軸には、貫通孔の上部に当接される底端を有するグリップが設けられている。【選択図】図４
0003173822.tif 000002
【実用新案登録請求の範囲】
【請求項１】
本体と、該本体にそれぞれ設けた基台と、切削台と、該切削台に着脱自在に取り付けられたカッターホルダと、該カッターホルダ上に螺着された切削刃とを備える氷削機であって、
モータにより回転部を回転させて前記切削刃により氷を切削する氷削機であり、
前記カッターホルダの軸孔と、前記切削台の底端に設けた受け座の軸孔とには、心軸が挿設され、前記カッターホルダは、弾性部材が端部の底縁に当接され、前記弾性部材の位置に対応した箇所に設けられた貫通孔を有し、前記貫通孔には、調整ねじ軸が挿設され、
前記調整ねじ軸は、前記切削台の底端に設けられた位置規制座のねじ孔に螺着されるねじ軸を有することを特徴とする氷削機。
【請求項２】
前記心軸には、ハンドルが設けられることを特徴とする請求項１に記載の氷削機。
【請求項３】
前記調整ねじ軸には、前記貫通孔の上部に当接される底端を有するグリップが設けられることを特徴とする請求項１に記載の氷削機。
【考案の詳細な説明】
【技術分野】
【０００１】
本考案は、かき氷製造のための氷削機に関するものであり、更に詳しくは、着脱自在のカッターホルダにより、切削台とカッターホルダとを分離して洗浄することが可能な氷削機に関するものである。
【背景技術】
【０００２】
図１〜図３を参照する。図１〜図３に示すように、従来の氷削機１は、本体１１に設けられた基台１２及び切削台１３を有し、モータにより回転台１４を回転させて切削刃１５により切削を行う構造のものである。切削刃１５は、カッターホルダ１６上に螺着される。カッターホルダ１６は、心軸１７を介して切削台１３の底端面（以下、「底面」ということがある。）に設けられた受け座１３１に枢着される。カッターホルダ１６の端部の底縁は、弾性部材１８に当接される。弾性部材１８は、切削台１３の底端に設けられた位置規制座１３２に外嵌される。
【０００３】
この構成により、カッターホルダ１６は、弾性部材１８により押される。カッターホルダ１６は、切削台１３と組立てると弾性部材１８自体が有する弾性により当接され、受け座１３１の軸孔内で心軸１７が僅かに偏心するが、互いに当接されて受け座１３１の軸孔内に位置が拘束される。
【０００４】
これによりカッターホルダ１６と切削台１３とが外れることを防いでいる。その結果カッターホルダ１６と切削台１３とを分離することが容易でなくなっている。そのため、氷の切削が完了した後に洗浄を行う際、ユーザーは、切削台１３からカッターホルダ１６を外して洗浄するのではなく、氷削機全体を清水により洗浄することが一般的である。
【０００５】
従って、氷が溶けてできた水と、洗浄の際に残った水とが、カッターホルダ１６と切削台１３とが組み合わされた箇所に溜まるため除去洗浄が容易でなく、時間がたつと溜まった水などに細菌が発生して切削されて作られたかき氷が不衛生となることがある。市販されているかき氷には、例えば、スノーアイス、マンゴーアイス、仙草アイスなど、成分が異なる様々なかき氷がある。それらのかき氷は、糖分を含む成分や果物汁などを含むため、氷が溶けてできた水がカッターホルダ１６と切削台１３とを組み合わせた箇所に溜まって食品の品質に悪影響を与える虞がある。
【０００６】
本考案者は、実用新案登録第３１６７９８４号公報（以下、「特許文献１」という。）には、かき氷の量、盛り方及び品質を直接目で見て判断することが可能な氷削機を提案したが、さらに改良し、前記の如き観点から洗浄容易な氷削機をあらたに提案するものである。
【特許文献１】実用新案登録第３１６７９８４号公報
【考案の概要】
【考案が解決しようとする課題】
【０００７】
従って、本考案の課題は、カッターホルダと切削台とを分離することができるような構造にして洗浄を容易にし、水分又は糖分を含む水分が切削台の底面及びカッターホルダ上に溜まって細菌が発生することを防ぎ、食品の衛生状態を良好に保持することが可能な氷削機を提供することにある。
【課題を解決するための手段】
【０００８】
そこで、本考案者は、前記の本考案の課題を解決するために、鋭意、検討を重ねた結果、カッターホルダの切削台への取り付け手段である心軸を取りはずし自在の構造とすることにより、前記の本考案の課題を解決することができることに着目し、かかる知見に基いて、本考案の想到するに至った。
【０００９】
かくして、本考案によれば、本体と、該本体にそれぞれ設けた基台と切削台と、該切削台に着脱自在に取り付けられたカッターホルダと該カッターホルダ上に螺着された切削刃とを備える氷削機であって、
モータにより回転部を回転させて前記切削刃により氷を切削する氷削機であり、
前記カッターホルダの軸孔と、前記切削台の底端に設けた受け座の軸孔とには、心軸が挿設され、
前記カッターホルダは、弾性部材が端部の底縁に当接され、前記弾性部材の位置に対応した箇所に設けられた貫通孔を有し、前記貫通孔には、調整ねじ軸が挿設され、
前記調整ねじ軸は、前記切削台の底端に設けられた位置規制座のねじ孔に螺着されるねじ軸を有することを特徴とする氷削機が提供される。
【００１０】
前記心軸には、ハンドルが設けられていることが好ましい。
【００１１】
前記調整ねじ軸には、前記貫通孔の上部に当接される底端を有するグリップが設けられていることが好ましい。
【考案の効果】
【００１２】
本考案は、前記の通りの構成からなるものであり、切削台とカッターホルダとを容易に分離することが可能となるので、洗浄が容易となり、カッターホルダ上及び切削台に溜水することを防止することができ、衛生状態が良好となる、という効果を奏する。
【図面の簡単な説明】
【００１３】
【図１】従来の氷削機を示す斜視図である。
【図２】従来の氷削機の切削台とカッターホルダとを組み合わせた構造を示す斜視図である。
【図３】従来の氷削機の切削台とカッターホルダとを組み合わせた構造を示す分解斜視図である。
【図４】本考案の一実施形態による氷削機を示す斜視図である。
【図５】本考案の一実施形態による氷削機の切削台とカッターホルダとを組み合わせた構造を示す斜視図である。
【図６】本考案の一実施形態による氷削機の切削台とカッターホルダとを組み合わせた構造を示す分解斜視図である。
【考案を実施するための形態】
【００１４】
以下、本考案の実施形態について図面に基づいて説明する。なお、これによって本考案が限定されるものではない。
【００１５】
図４〜図６を参照する。図４〜図６に示すように、本考案の一実施形態による氷削機２は、本体２１と、本体２１に設けた基台２２及び切削台２３と、を有する。図５〜６は、切削台２３の底面を下側から外観したものである。本実施形態の氷削機２は、モータにより回転台２４を回転させて切削刃２５により切削台上に載置した氷の切削を行う。切削刃２５は、カッターホルダ２６に螺着される。このカッターホルダ２６の軸孔２６１と、切削台２３の底端に設けた受け座２３１の軸孔とには心軸２７が挿設されている。心軸２７の端部には、ハンドル２７１が設けられている。カッターホルダ２６の端部の底縁には、弾性部材２８が当接される。カッターホルダ２６には、弾性部材２８に対応した箇所に貫通孔２６２が設けられている。貫通孔２６２は、調整ねじ軸２９を挿設させるために用いる。調整ねじ軸２９のグリップ２９１の底端は、貫通孔２６２の上部に当接され、調整ねじ軸２９のねじ軸２９２が貫通孔２６２に貫設され、切削台２３の底端に設けられた位置規制座２３２のねじ孔２３３に螺着されている。弾性部材２８は、位置規制座２３２の外縁に外嵌され、位置が拘束される。
【００１６】
かき氷の切削作業が完了して氷削機を洗浄する際、グリップ２９１を利用して調整ねじ軸２９を回転させ、ねじ軸２９２を下方へ移動させると、調整ねじ軸２９のグリップ２９１によりカッターホルダ２６が下方へ押圧されて弾性部材２８が圧縮され、心軸２７と、受け座２３１の軸孔と、カッターホルダ２６の軸孔２６１とが同心円となり（即ち、心軸２７により、カッターホルダ２６が弾性部材２８により当接されて位置が拘束され、僅かに偏心して位置が拘束される）、このときユーザーは、ハンドル２７１により受け座２３１から心軸２７を抜き取ってから、位置規制座２３２に設けられたねじ孔２３３から外れるまで調整ねじ軸２９を反対方向へ回転させて切削台２３からカッターホルダ２６を取り外す。これにより、氷削機とカッターホルダ２６とを分離して洗浄を行うことができる。
【００１７】
従って、氷が溶けてできた水や糖分を含む水が切削台２３の正面や背面又はカッターホルダ２６上に溜まっても全面的に洗浄を行うことができるため、氷削機全体がきれいになり、かき氷の品質及び衛生を確保することができる。氷削機の洗浄が完了して乾燥させた後、カッターホルダ２６を組み立てる際、カッターホルダ２６の貫通孔２６２及び弾性部材２８に、調整ねじ軸２９のねじ軸２９２を挿設させてから位置規制座２３２のねじ孔２３３に螺着してグリップ２９１を回転させると、グリップ２９１によりカッターホルダ２６が下方に押圧され、カッターホルダ２６の軸孔２６１と受け座２３１の軸孔とを同心円で揃えると、受け座２３１の軸孔に心軸２７を挿入し、グリップ２９１を反対方向へ回転させるとカッターホルダ２６に設けられた貫通孔２６２の箇所で心軸２７を中心軸として回転変位し、心軸２７、受け座２３１の軸孔及びカッターホルダ２６の軸孔２６１が同心円で揃わなくなる（即ち、カッターホルダ２６により弾性部材２８が押さえられて心軸２７が偏心して位置が拘束される）。この構成により、カッターホルダ２６を組み立ててかき氷の切削を行うことができる。
【００１８】
以上、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００１９】
１  氷削機
２  氷削機
１１  本体
１２  基台
１３  切削台
１４  回転部
１５  切削刃
１６  カッターホルダ
１７  心軸
１８  弾性部材
２１  本体
２２  基台
２３  切削台
２４  回転台
２５  切削刃
２６  カッターホルダ
２７  心軸
２８  弾性部材
２９  調整ねじ軸
１２１  スリット
１３１  受け座
１３２  位置規制座
２３１  受け座
２３２  位置規制座
２３３  ねじ孔
２６１  軸孔
２６２  貫通孔
２７１  ハンドル
２９１  グリップ
２９２  ねじ軸
【図１】
0003173822.tif 000003
【図２】
0003173822.tif 000004
【図３】
0003173822.tif 000005
【図４】
0003173822.tif 000006
【図５】
0003173822.tif 000007
【図６】
0003173822.tif 000008